(57)【要約】【課題】取り付けた後の管路の伸縮、曲げ等の変位に追従して変動でき、管路の曲がった管体継手部の漏洩に対処できる管内面補修継手を提供する。【解決手段】管体１１，１１の端部内面に配置されたゴムリング１２と、ゴムリング１２を管体端部内面に圧接する拡張バンド１３，１４とを有し、ゴムリング１２は、両端部内面に位置する拡張バンド支持部１５，１５と、中間部内面に位置する少なくとも１つの拡張バンド支持部１６と、隣接する拡張バンド支持部を幅方向に可動に連結する連結部１８，１９，２０とを有し、拡張バンド１３は、複数の円弧状セグメント１３ａと、各円弧状セグメントの両端部に設けられた係止爪１３ｂと、円弧状セグメント１３ａ，１３ａの間に配置されたスペーサ２１とを有し、拡張バンド１４は、複数の円弧状セグメント１４ａと、隣接する円弧状セグメントを周方向に調節自在に連結する連結手段２２と、円弧状セグメント１４ａ，１４ａの間に配置されたスペーサ２３とを有する。【選択図】図１
2008025767.tif 000002
【特許請求の範囲】
【請求項１】
接続すべき管体の端部内面に管体同士を橋絡するゴムリングを配置し、ゴムリングの内面にゴムリングを管体端部内面に圧接する拡張バンドを配置し、接続すべき管体の端部をゴムリングによりシールする管内面補修継手において、前記ゴムリングは、両端部内面に位置する拡張バンド支持部と、中間部内面に位置する少なくとも１つの拡張バンド支持部と、隣接する拡張バンド支持部を幅方向に可動に連結する連結部とを有し、ゴムリングの両端部内面に配置される拡張バンドは、複数の円弧状セグメントと、各円弧状セグメントの両端部に設けられた円弧状セグメントを連結するための係止爪と、隣接する円弧状セグメントの間に配置されたスペーサとを有し、ゴムリングの中間部内面に配置される拡張バンドは、複数の円弧状セグメントと、隣接する円弧状セグメントを周方向に調節自在に連結する連結手段と、隣接する円弧状セグメントの間に配置されたスペーサとを有することを特徴とする管内面補修継手。
【請求項２】
連結手段は、細長い開口を設けた連結板と、細長い開口を通して一方の円弧状セグメントに固定される固定ねじと、細長い開口を通して他方の円弧状セグメントに固定される固定ねじとを有することを特徴とする請求項１に記載の管内面補修継手。
【発明の詳細な説明】
【技術分野】
【０００１】
本発明は、管路の管体継手部に発生する液体の漏洩を管路の内面から補修する管内面補修継手に関する。
【背景技術】
【０００２】
一般に、農業用水、工業用水、上水道等に用いられる管路は、ＰＣ管や鋼管で作られた管体を地面に掘った溝に配置し、管体同士を継手部で連結し、溝を土で埋めることにより地中に埋設されている。
【０００３】
地中に埋設された管路は、長期間の使用により、管体継手部に漏洩が発生することがある。管路の管体継手部に漏洩が発生した場合、管路の管体継手部の漏洩を補修して管体継手部の漏洩を止めることが必要である。
【０００４】
従来の管体継手部の漏洩補修手段には、埋設された管路の漏洩した管体継手部に対応する部分の土を堀り起し、漏洩した管体継手部の外周を露出させ、管路の外面から漏洩した管体継手部に補修材を固定するこで管体継手部の漏洩を補修するものがあるが、この漏洩補修手段は、工程数が多くなるとともに、地上に建造物や構築物が存在する場合には採用し得ないという問題がある。
【０００５】
また、従来の管体継手部の漏洩補修手段には、地中に埋設された管路の管体が内部に作業者が進入できる程度に大径であれば、管体内に作業者が進入し、ゴムリングを管体継手部の漏洩部の内面に配置し、ゴムリングの内面に締付座を設けた拡張バンドを配置し、拡張バンドの締付座をボルトにより固定し、ゴムリングを管体の内面に緊圧固定することで管体継手部の漏洩を補修するものもある。
【０００６】
上記拡張バンドの締付座をボルトにより固定する管体継手部の漏洩補修手段は、管路の漏洩部を掘り起すことなく補修することができるものの、拡張バンドの締付座およびボルトが管の内面に突出するので、この突出部により管路の流体の流れが妨害されてしまうという問題がある。
【０００７】
そこで、ゴムリングを管体継手部の漏洩部の内面に配置し、ゴムリングに拡張バンドを配置し、拡張バンドの緊締を締付座とボルトを用いることなく、ゴムリングを管体の内面に緊圧固定するようにした管内面補修継手が開発されている（特許文献１）。
【０００８】
上記管内面補修継手は、図６および図７に示すように、接続すべき管体１，１の端部１ａ，１ａ間の内面に橋絡するように配置されるゴムリング２と、ゴムリング２の両端部内面に配置される拡張バンド３，３から構成されている。各拡張バンド３は、複数の円弧状セグメント３ａと、各円弧状セグメント３ａの端部４に形成された相手側円弧状セグメント３ａの端部４に係止する係止爪部５とを有し、隣り合う円弧状セグメント３ａ，３ａの端部４，４の間にスペーサー６を介装している。各円弧状セグメント３ａの端部には、操作シリンダー７のシリンダー７ａおよびピストン７ｂが係着される係止開口８が形成されている。
【０００９】
各拡張バンド３は、図８に示すように、隣り合う円弧状セグメント３ａ，３ａに設けた係止開口８，８に操作シリンダー７のシリンダー７ａおよびピストン７ｂを係着し、操作シリンダー７を作動することで、隣り合う円弧状セグメント３ａ，３ａを互いに離れる方向に押圧し、隣り合う円弧状セグメント３ａ，３ａの端部４，４の間にスペーサー６を介装することでゴムリング２に対して緊締定着される。
【特許文献１】特開平２−２９５４７８号
【発明の開示】
【発明が解決しようとする課題】
【００１０】
上記管内面補修継手は、中間部に可撓区域のないゴムリングの両端部を拡張バンドにより緊圧固定しているので、取り付けた後の管路の伸縮、曲げ等の変位に追従して変動することができず、また、管路の曲がった管体継手部の漏洩に対処できないという問題がある。
【００１１】
本発明の目的は、従来技術の問題点を解消し、取り付けた後の管路の伸縮、曲げ等の変位に追従して変動でき、管路の曲がった管体継手部の漏洩に対処できる管内面補修継手を提供することにある。
【課題を解決するための手段】
【００１２】
本発明の管内面補修継手は、接続すべき管体の端部内面に管体同士を橋絡するゴムリングと、ゴムリングを管体端部内面に圧接する拡張バンドとを有し、ゴムリングは、両端部内面に位置する拡張バンド支持部と、中間部内面に位置する少なくとも１つの拡張バンド支持部と、隣接する拡張バンド支持部を幅方向に可動に連結する連結部とを有し、ゴムリングの両端部内面に配置される拡張バンドは、複数の円弧状セグメントと、各円弧状セグメントの両端部に設けられた円弧状セグメントを連結するための係止爪と、隣接する円弧状セグメントの間に配置されたスペーサとを有し、ゴムリングの中間部内面に配置される拡張バンドは、複数の円弧状セグメントと、隣接する円弧状セグメントを周方向に調節自在に連結する連結手段と、隣接する円弧状セグメントの間に配置されたスペーサから構成されている。
【発明の効果】
【００１３】
本発明の管内面補修継手は、ゴムリングの両端部内面に設けた拡張バンド支持部と中間部内面に設けた拡張バンド支持部を幅方向に可動な連結部により連結したことで、曲がった管や管の芯ずれ部への取り付けが可能になり、施工後の管路の伸縮や曲げ等の変位に追従し、管路の伸縮や曲げの変位を吸収できる。
【発明を実施するための最良の形態】
【００１４】
以下、本発明による管内面補修継手の一実施形態について、添付の図面を参照しながら説明する。  
本発明による管内面補修継手１０は、図１および図２に示すように、プレキャストコンクリート管（ＰＣ管）である管体１１，１１の継手部１１ａを含む端部内面に管体１１，１１を橋絡するように配置されたゴムリング１２と、ゴムリング１２の両端部内面にゴムリング１２を管体１１，１１の端部内面に圧接するように配置された２条の拡張バンド１３，１３と，ゴムリング１２の中間部内面にゴムリング１２を半径方向外方に押圧するように配置された２条の拡張バンド１４，１４とから構成されている。
【００１５】
上記ゴムリング１２は、図３に示すように、両端部内面に形成された拡張バンド支持部１５，１５と、中間部内面に形成された２条の拡張バンド支持部１６，１７と、一端側に位置する拡張バンド支持部１５と中間部に位置する拡張バンド支持部１６を幅方向に可動に連結する連結部１８と、中間に位置する拡張バンド支持部１６と中間に位置する拡張バンド支持部１７を幅方向に可動に連結する連結部１９と、中間に位置する拡張バンド支持部１７と他端側に位置する拡張バンド支持部１５を幅方向に可動に連結する連結部２０とを有する。連結部１８，１９，２０は、半径方向内方に突出する断面半円状の可撓部である。
【００１６】
上記ゴムリング１２は、一端側に位置する拡張バンド支持部１５と他端側に位置する拡張バンド支持部１５の間に一体に可撓連結部を設けたことで、幅方向に変形自在の構造である。
【００１７】
なお、上記実施の形態では、ゴムリング１２の中間部内面に位置する拡張バンド支持部は２条であるが、拡張バンド支持部は、適用されるゴムリング１２の幅寸法に応じて１条または３条以上であってもよい。
【００１８】
上記拡張バンド１３は、図２および図４に示すように、４つの円弧状セグメント１３ａ，１３ａ，１３ａ，１３ａと、各円弧状セグメント１３ａの端部の一側に相手方円弧状セグメント１３ａの内面に係止するように突設された係止爪１３ｂと、前記操作シリンダー７のシリンダー７ａおよびピストン７ｂのいずれかが係着される係止開口１３ｃと、隣接する円弧状セグメント１３ａ，１３ａの間に介装されたスペーサー２１から構成されている。スペーサー２１は、好ましくは断面が台形であり、円弧状セグメント１３ａ，１３ａの対向した端部の係止爪１３ｂ，１３ｂの間に配置されている。拡張バンド１３は、必要に応じて６つの円弧状セグメントで構成することができる。
【００１９】
上記拡張バンド１４は、図２および図５に示すように、４つの円弧状セグメント１４ａ，１４ａ，１４ａ，１４ａと、前記操作シリンダー７のシリンダー７ａおよびピストン７ｂのいずれかが係着される係止開口１４ｂと、隣接する円弧状セグメント１４ａを周方向に可動に連結する一対の連結手段２２，２２と、隣接する円弧状セグメント１３ａ，１３ａの間に介装されたスペーサー２３から構成されている。拡張バンド１４は、必要に応じて６つの円弧状セグメントで構成することができる。
【００２０】
上記連結手段２２は、長手方向に延びる細長い開口２４を設けた連結板２５と、連結板２５の細長い開口２４を通して一方の円弧状セグメント１４ａに固定される固定ねじ２６と、連結板２５の細長い開口２４を通して他方の円弧状セグメント１４ａに固定される固定ねじ２７とから構成されている。
【００２１】
なお、図２において、符号３０は、接続すべき管体１１，１１の間の環状空間に装着されるバックアップ材であり、符号３１は、管体１１，１１の継手部１１ａを含む部分を囲む環状カバーである。
【００２２】
つぎに、本発明による管内面補修継手１０の取り付け手順について説明する。  
地中に埋設した管路の管体継手部１１ａに液体の漏洩が発生した場合、継手部１１ａの液体漏洩を止めるために、作業者が管路内に進入する。そして、ゴムリング１２を、図１に示すように、漏洩した継手部１１ａを含む管体１１の端部内面に管体１１，１１を橋絡するように配置する。
【００２３】
つぎに、２条の拡張バンド１３，１３をゴムリング１２の両端部内面に設けた拡張バンド支持部１５，１５に配置する。各拡張バンド１３は、４つの円弧状セグメント１３ａ，１３ａ，１３ａ，１３ａを係止爪１３ｂにより連結した形態をなしている。
【００２４】
つぎに、隣り合う円弧状セグメント１３ａ，１３ａを、図８に示す操作シリンダー７を用いて周方向に離れるれ方向に押圧し、隣り合う円弧状セグメント１３ａ，１３ａの間に形成される空間にスペーサー２１を配置し、操作シリンダー７を取り外す。これにより、ゴムリング１２の両端部内面に設けた拡張バンド１３，１３がゴムリング１２を管体１１，１１の端部内面に圧接し、管体１１，１１の継手部１１ａを含む部分がゴムリング１２によりシールされる。
【００２５】
これに続いて、２条の拡張バンド１４，１４をゴムリング１２の中間部内面に設けた拡張バンド支持部１６，１７に配置する。各拡張バンド１４は、４つの円弧状セグメント１４ａ，１４ａ，１４ａ，１４ａを連結手段２２，２２により連結した形態をなしている。
【００２６】
つぎに、隣り合う円弧状セグメント１４ａ，１４ａを、図８に示す操作シリンダー７を用いて周方向に離れるれ方向に押圧し、隣り合う円弧状セグメント１４ａ，１４ａの間に形成される空間にスペーサー２３を配置し、隣り合う円弧状セグメント１４ａ，１４ａを連結手段２２，２２でを固定し、操作シリンダー７を取り外す。これにより、ゴムリング１２の中間部内面に設けた拡張バンド１４，１４がゴムリング１２の中間部分を半径方向外方に押圧し、ゴムリング１２の中間部分に外圧が作用しても、ゴムリング１２の幅を確保することができる。これは、ボルト締結による摩擦力だけで外圧に耐える方式より高い耐外圧強度を得る。
【００２７】
しかして、本発明による管内面補修継手は、ゴムリングの拡張バンド支持部の間に幅方向に変形する連結部を設けたことで、管路の変位状況に合わせた形に変形させて組み立てることができ、曲がった管や管の芯ずれ部への取り付けが可能になり、取り付けた後の管路の伸縮、曲げ，芯ずれ等の変位に追従するので、施工後の管路の伸縮、曲げ，芯ずれを吸収することができる。
【００２８】
また、本発明による管内面補修継手は、ゴムリングの拡張バンド支持部を連結部により仕切ったことで、拡張バンドを拡張バンド支持部に簡単に列設することができ、拡張バンドの蛇行を防ぐことができる。
【図面の簡単な説明】
【００２９】
【図１】本発明による内面補修継手の取り付け状態を一部を破いて示す斜視図である。
【図２】本発明による内面補修継手の内面側の一部を示す図である。
【図３】図２に示す内面補修継手の拡大断面図である。
【図４】本発明による内面補修継手のゴムリングの端部内面に位置する拡張バンドの連結部を示す図である。
【図５】本発明による内面補修継手のゴムリングの中間部内面に位置する拡張バンドの連結部を示す図である。。
【図６】従来の内面補修継手の取り付け状態を示す図である。。
【図７】従来の内面補修継手の拡張バンドの連結部を示す図である。
【図８】従来の内面補修継手の拡張バンドを拡張する操作シリンダーを示す図である。
【符号の説明】
【００３０】
１０  管内面補修継手
１１  管体  
１１ａ  継手部  
１２  ゴムリング
１３  拡張バンド
１４  拡張バンド
１５  拡張バンド支持部
１６  拡張バンド支持部 
１７  拡張バンド支持部
１８  連結部
１９  連結部
２０  連結部
２２  連結手段
【図１】
2008025767.tif 000003
【図２】
2008025767.tif 000004
【図３】
2008025767.tif 000005
【図４】
2008025767.tif 000006
【図５】
2008025767.tif 000007
【図６】
2008025767.tif 000008
【図７】
2008025767.tif 000009
【図８】
2008025767.tif 000010